(57)【特許請求の範囲】
【請求項１】
少なくとも一本の蛍光管と、該蛍光管を支持する下フレーム部材と、前記蛍光管を挟んで前記下フレーム部材と対向して配置され前記蛍光管の光を前方の照射対象に向けて拡散する光拡散板材と、前記下フレーム部材の前記蛍光管側に沿って配設され前記蛍光管の光を前記光拡散板材に向けて反射する反射シート部材と、前記蛍光管の電極を覆うとともに前記蛍光管の光を前記光拡散板材に向けて反射する上サイド反射部材とを備える照明装置であって、
前記蛍光管の長手方向を左右方向とした場合、
前記照明装置の左右端部付近のうちの少なくとも何れか一方の前記蛍光管と前記反射シート部材間の距離が、中央部での前記距離よりも大きく、
前記下フレーム部材は、前記照明装置の左右端部付近のうちの少なくとも何れか一方が開口した第１の開口部を有しており、前記反射シート部材は、前記第１の開口部から非表示面側の後方に向けて突設された第１の突出部を有しており、
前記蛍光管と前記反射シート部材の第１の突出部間の距離が、中央部の前記蛍光管と前記反射シート部材間の距離よりも大きい
ことを特徴とする照明装置。
【請求項２】
少なくとも一本の蛍光管と、該蛍光管を支持する下フレーム部材と、前記蛍光管を挟んで前記下フレーム部材と対向して配置され前記蛍光管の光を前方の照射対象に向けて拡散する光拡散板材と、前記下フレーム部材の前記蛍光管側に沿って配設され前記蛍光管の光を前記光拡散板材に向けて反射する反射シート部材と、前記蛍光管の電極を覆うとともに前記蛍光管の光を前記光拡散板材に向けて反射する上サイド反射部材とを備える照明装置であって、
前記反射シート部材の延在面方向に沿うとともに前記蛍光管の長手方向に垂直な方向を上下方向とした場合、
前記照明装置の上下端部付近のうちの少なくとも何れか一方の前記蛍光管と前記反射シート部材間の距離が、中央部での前記距離よりも大きく、
前記下フレーム部材は、前記照明装置の上下端部付近のうちの少なくとも何れか一方が開口した第２の開口部を有しており、前記反射シート部材は、前記第２の開口部から非表示面側の後方に向けて突設された第２の突出部を有しており、
前記蛍光管と前記反射シート部材の第２の突出部間の距離が、中央部の前記蛍光管と前記反射シート部材間の距離よりも大きい
ことを特徴とする照明装置。
【請求項３】
少なくとも一本の蛍光管と、該蛍光管を支持する下フレーム部材と、前記蛍光管を挟んで前記下フレーム部材と対向して配置され前記蛍光管の光を前方の照射対象に向けて拡散する光拡散板材と、前記下フレーム部材の前記蛍光管側に沿って配設され前記蛍光管の光を前記光拡散板材に向けて反射する反射シート部材と、前記蛍光管の電極を覆うとともに前記蛍光管の光を前記光拡散板材に向けて反射する上サイド反射部材とを備える照明装置であって、
前記蛍光管の長手方向を左右方向とし、かつ、前記反射シート部材の延在面方向に沿うとともに前記長手方向に垂直な方向を上下方向とした場合、
前記照明装置の上下端部付近及び左右端部付近の前記蛍光管と前記反射シート部材間の距離が、中央部での前記距離よりも大きく、
前記下フレーム部材は、前記照明装置の上下端部付近及び左右端部付近が開口した第３の開口部を有しており、前記反射シート部材は、前記第３の開口部から非表示面側の後方に向けて突設された第３の突出部を有しており、
前記蛍光管と前記反射シート部材の第３の突出部間の距離が、中央部の前記蛍光管と前記反射シート部材間の距離よりも大きい
ことを特徴とする照明装置。
【請求項４】
前記反射シート部材における前記下フレーム部材の開口部からの前記突出部の高さ寸法は、非表示面側に配置されたインバータ、電源を含む構造部材の厚さ寸法以下である
ことを特徴とする請求項１から請求項３のうちの何れか一項に記載の照明装置。
【請求項５】
前記下フレーム部材の開口部は、導電性シート部材で覆われる
ことを特徴とする請求項１から請求項３のうちの何れか一項に記載の照明装置。
【請求項６】
前記左右端部または上下端部のうちの少なくとも何れか一つの端部の前記蛍光管と前記反射シート部材間の距離を増加させた領域及びその付近の前記光拡散板材に印刷パターンが形成される
ことを特徴とする請求項１から請求項５のうちの何れか一項に記載の照明装置。
【請求項７】
前記印刷パターンは、前記光拡散板材の前記蛍光管側の面に形成される
ことを特徴とする請求項６に記載の照明装置。
【請求項８】
前記左右端部または上下端部のうちの少なくとも何れか一つの端部の前記蛍光管と前記反射シート部材間の距離を増加させた領域及びその付近の光拡散板材に隣接する光学シート部材に、印刷パターンが形成される
ことを特徴とする請求項１から請求項７のうちの何れか一項に記載の照明装置。
【請求項９】
前記印刷パターンは、前記光学シート部材における光拡散板材に隣接する面に形成される
ことを特徴とする請求項８に記載の照明装置。
【請求項１０】
少なくとも一本の蛍光管と、該蛍光管を支持する下フレーム部材と、前記蛍光管を挟んで前記下フレーム部材と対向して配置され前記蛍光管の光を前方の照射対象に向けて拡散する光拡散板材と、前記下フレーム部材の前記蛍光管側に沿って配設され前記蛍光管の光を前記光拡散板材に向けて反射する反射シート部材と、前記蛍光管の電極を覆うとともに前記蛍光管の光を前記光拡散板材に向けて反射する上サイド反射部材とを備える照明装置であって、
前記蛍光管の長手方向を左右方向とし、かつ、前記反射シート部材の延在面方向に沿うとともに前記長手方向に垂直な方向を上下方向とした場合、
前記照明装置の上下端部付近及び左右端部付近の前記蛍光管と前記反射シート部材間の距離のうちの少なくとも何れかが、中央部での前記距離よりも大きく、
前記左右端部または上下端部のうちの少なくとも何れか一つの端部の前記蛍光管と前記反射シート部材間の距離を増加させた領域及びその付近の前記光拡散板材に印刷パターンが形成される
ことを特徴とする照明装置。
【請求項１１】
前記印刷パターンは、前記光拡散板材の前記蛍光管側の面に形成される
ことを特徴とする請求項１０に記載の照明装置。
【請求項１２】
少なくとも一本の蛍光管と、該蛍光管を支持する下フレーム部材と、前記蛍光管を挟んで前記下フレーム部材と対向して配置され前記蛍光管の光を前方の照射対象に向けて拡散する光拡散板材と、前記下フレーム部材の前記蛍光管側に沿って配設され前記蛍光管の光を前記光拡散板材に向けて反射する反射シート部材と、前記蛍光管の電極を覆うとともに前記蛍光管の光を前記光拡散板材に向けて反射する上サイド反射部材とを備える照明装置であって、
前記蛍光管の長手方向を左右方向とし、かつ、前記反射シート部材の延在面方向に沿うとともに前記長手方向に垂直な方向を上下方向とした場合、
前記照明装置の上下端部付近及び左右端部付近の前記蛍光管と前記反射シート部材間の距離のうちの少なくとも何れかが、中央部での前記距離よりも大きく、
前記左右端部または上下端部のうちの少なくとも何れか一つの端部の前記蛍光管と前記反射シート部材間の距離を増加させた領域及びその付近の光拡散板材に隣接する光学シート部材に、印刷パターンが形成される
ことを特徴とする照明装置。
【請求項１３】
前記印刷パターンは、前記光学シート部材における光拡散板材に隣接する面に形成される
ことを特徴とする請求項１２に記載の照明装置。
【請求項１４】
請求項１から請求項１３のうちの何れか一項に記載の照明装置を具備する
ことを特徴とする照明装置を用いた表示装置。
【発明の詳細な説明】
【技術分野】
【０００１】
本発明は、蛍光管を用いた照明装置及びこれを用いた液晶表示装置に関する。
【背景技術】
【０００２】
図１２(ａ)は、従来の液晶テレビ１０１の正面図であり、図１２(ｂ)は、図１２(ａ)に示す液晶テレビ１０１の裏面要部を示す裏面図である。
また、図１３(ａ)は、図１２(ａ)のＥ−Ｅ線断面拡大図であり、図１３(ｂ)は、図１２(ａ)のＦ−Ｆ線断面拡大図である。
従来の液晶テレビ１０１は、図１２(ａ)に示すように、映像が表示される表示画面Ｇを有しており、この表示画面Ｇに映像を表示するに際しては、映像に応じて電圧制御される液晶パネル１０２(図１３参照)に後方から光を透過させることにより、映像が表示される。
【０００３】
この液晶テレビ１０１は、図１３に示すように、液晶パネル１０２と、該液晶パネル１０２の背面に在って光を後方(図１２(ａ)の紙面の裏面側)から液晶パネル１０２に供給する照明装置１０１Ｓとから構成されており、液晶パネル１０２は、上フレーム１０３により照明装置１０１Ｓに固定されている。
液晶パネル１０２は、表示する映像を構成する各画素に対応して液晶層を透過する光の透過率を変化させることにより、照明装置１０１Ｓからの光の透過・不透過を制御し、カラーフィルタの光の透過程度によって映像を表示画面Ｇ(図１２(ａ)参照)に表示する。
図１４は、図１２(ａ)に示す液晶テレビ１０１の前方側(図１２(ａ)の紙面の手前側)から見た分解図である。
【０００４】
図１４に示すように、照明装置１０１Ｓ(図１３参照)は、光源である複数本の蛍光管１０４、該蛍光管１０４を駆動するインバータ１０５、蛍光管１０４を配置する下フレーム１０６、下フレーム１０６の前面に沿って配置され蛍光管１０４の光を液晶パネル１０２側に反射する反射シート１０６ｈ、蛍光管１０４から出射される光を拡散する光拡散板１０７、液晶パネル１０２に入射する光の角度分布等を制御する光学シート１０８、該光学シート１０８及び光拡散板１０７を下フレーム１０６に抑えるとともに液晶パネル１０２を載せる中間モールドフレーム１０９、左右端部の遮光壁の役割をする上サイドモールド１１０等を有している。
【０００５】
なお、図１４は、主要部材のみを図示しており、他にも様々な部材が存在する。
図１２(ｂ)に示すように、液晶テレビ１０１の非表示面側には、タイミングコントローラＴcon、インバータ１０５、電源１１１等の回路部材またはその他の構造部材が配置されている。
なお、本願に係る文献公知発明として下記の特許文献１、２がある。
特許文献１には、外部電極蛍光ランプをバックライトとして用いた表示装置が記載されており、特許文献２には、内部電極蛍光ランプをバックライトとして用いた表示装置が記載され、特許文献２の図８には本願図１３(ａ)と同様な構成が図示されている。
【特許文献１】特開２００７−５９４０６号公報(段落００２２〜００２４等)
【特許文献２】特開２００７−１８４２３号公報(図８等)
【発明の開示】
【発明が解決しようとする課題】
【０００６】
ところで、上述の図１３(ａ)は、公知の照明装置を薄型化した照明装置１０３、すなわち、光拡散距離を縮めた構成を示している。
図１３(ａ)の矢印のように、蛍光管１０４から出た光は、反射シート１０６ｈ、及び光拡散板１０７に入射し、拡散反射し、さらにその光が、反射シート１０６ｈまたは光拡散板１０７に入射するといったことを繰り返すことにより、光拡散板１０７、上サイドモールド１１０、および反射シート１０６ｈで囲まれる光拡散空間Ｋ内に広がっていく。
なお、拡散反射とは、ある方向から入射された光が、全ゆる角度で反射されることをいい、これに対して、ある入射角度で入射された光が、入射角と同じ角度で反射される現象を正反射という。
【０００７】
反射シート１０６ｈおよび光拡散板１０７は、共に拡散反射面なので、拡散反射をし、特に、光拡散板１０７は、入射された光を拡散反射させ、光拡散空間Ｋ内に戻すとともに、ある量の光を透過させ液晶パネル１０２側に出す役割をしている。
図１３(ａ)では、蛍光管１０４のある点Ａから出た光が、光拡散板の点Ｂから液晶パネル１０２面に出射されるまでの様子を矢印で示しており、矢印の太さが光強度に対応する。
前述したように、光は拡散反射をするので、このような一本の矢印で表現できるものではないが、図１３(ａ)では便宜上、点Ａから出た光が、反射シート１０６ｈに４５度の角度で入射し、拡散反射される光のうち、同じく４５度で出射される光をピックアップして示している。同様に、反射シート１０６ｈから４５度の角度で出射された光は、光拡散板１０７に４５度で入射するので、光拡散板１０７で拡散反射するうちの４５度で反射される光をピックアップしている。
【０００８】
ある方向から入射した光は、全ゆる方向に反射されるので、特定角度の反射光は、入射光に対して光強度は減少する(矢印が細くなる)。つまり、照明装置１０１Ｓが薄型化されるほど反射回数が増え、反射回数が増えるほど光強度は減少することになる。
図１３(ａ)においては、点Ａから点Ｂまで到達するのに５回の反射を繰り返しており、上記したように、点Ｂ含む左端部および右端部は、中央側からくる光が弱くなるため暗くなるという問題がある。
照明装置１０１Ｓの端部が暗くなると、液晶パネル１０２で映像を表示する表示画面Ｇの左右の端部Ｇl、Ｇr領域(図１２(ａ)参照)が暗くなってしまうという問題を生じる。
【０００９】
この解決策として、液晶パネル１０２に対して、照明装置１０１Ｓを左右に大きくして、照明装置１０１Ｓの左右端部領域の暗い部分を表示画面Ｇから外すという対策もあるが、左右の額縁部１０１ｇ、１０１ｇ(図１２(ａ)参照)が大きくなりデザイン性を大きく損ね、商品性が劣るという問題が生じる。
同様に、図１３(ｂ)では、蛍光管１０４のある点Ｃから出た光が、光拡散板の点Ｄから液晶パネル１０２面に出射されるまでの様子を矢印で示しており、矢印の太さが光強度に対応する。
【００１０】
照明装置１０１Ｓが薄型化されるほど反射シート１０６ｈおよび光拡散板１０７での反射回数が増え、反射回数が増えるほど光強度は減少することになり、図１３(ｂ)においては、点Ｃから点Ｄまで到達するのに５回の反射を繰り返しており、点Ｄ含む上端部および下端部は、中央側からくる光が弱くなるため暗くなるという問題がある。
照明装置１０１Ｓの端部が暗くなると、液晶パネル１０２で映像を表示する表示画面Ｇの上下の端部Ｇv、Ｇs領域(図１２(ａ)参照)が暗くなってしまうという問題を生じる。
上述した如く、液晶テレビ１０１の照明装置１０１Ｓを薄型化する場合、映像表示領域である表示画面Ｇの左右端部Ｇl、Ｇr、および上下端部Ｇv、Ｇsの明るさが低下するという解決すべき技術課題がある。
【００１１】
本発明は上記実状に鑑み、表示画面の廻りの額縁部の幅を増やすことなく、上下又は／及び左右端部領域の輝度を向上し得る照明装置および該照明装置を用いた表示装置の提供を目的とする。
【課題を解決するための手段】
【００１２】
上記目的を達成すべく、第１の発明に関わる照明装置は、少なくとも一本の蛍光管と、該蛍光管を支持する下フレーム部材と、蛍光管を挟んで下フレーム部材と対向して配置され蛍光管の光を前方の照射対象に向けて拡散する光拡散板材と、下フレーム部材の蛍光管側に沿って配設され蛍光管の光を光拡散板材に向けて反射する反射シート部材と、蛍光管の電極を覆うとともに蛍光管の光を光拡散板材に向けて反射する上サイド反射部材とを有する照明装置であって、蛍光管の長手方向を左右方向とした場合、照明装置の左右端部付近のうちの少なくとも何れか一方の蛍光管と反射シート部材間の距離が、中央部での前記距離よりも大きく、下フレーム部材は、照明装置の左右端部付近のうちの少なくとも何れか一方が開口した第１の開口部を有しており、反射シート部材は、第１の開口部から非表示面側の後方に向けて突設された第１の突出部を有しており、蛍光管と反射シート部材の第１の突出部間の距離が、中央部の蛍光管と反射シート部材間の距離よりも大きいことを特徴としている。
【００１３】
第２の発明に関わる照明装置は、少なくとも一本の蛍光管と、該蛍光管を支持する下フレーム部材と、蛍光管を挟んで下フレーム部材と対向して配置され蛍光管の光を前方の照射対象に向けて拡散する光拡散板材と、下フレーム部材の蛍光管側に沿って配設され蛍光管の光を光拡散板材に向けて反射する反射シート部材と、蛍光管の電極を覆うとともに蛍光管の光を光拡散板材に向けて反射する上サイド反射部材とを備える照明装置であって、反射シート部材の延在面方向に沿うとともに蛍光管の長手方向に垂直な方向を上下方向とした場合、照明装置の上下端部付近のうちの少なくとも何れか一方の蛍光管と反射シート部材間の距離が、中央部での前記距離よりも大きく、下フレーム部材は、照明装置の上下端部付近のうちの少なくとも何れか一方が開口した第２の開口部を有しており、反射シート部材は、第２の開口部から非表示面側の後方に向けて突設された第２の突出部を有しており、蛍光管と反射シート部材の第２の突出部間の距離が、中央部の蛍光管と反射シート部材間の距離よりも大きいことを特徴としている。
第３の発明に関わる照明装置は、少なくとも一本の蛍光管と、該蛍光管を支持する下フレーム部材と、蛍光管を挟んで下フレーム部材と対向して配置され蛍光管の光を前方の照射対象に向けて拡散する光拡散板材と、下フレーム部材の蛍光管側に沿って配設され蛍光管の光を光拡散板材に向けて反射する反射シート部材と、蛍光管の電極を覆うとともに蛍光管の光を光拡散板材に向けて反射する上サイド反射部材とを備える照明装置であって、蛍光管の長手方向を左右方向とし、かつ、反射シート部材の延在面方向に沿うとともに長手方向に垂直な方向を上下方向とした場合、照明装置の上下端部付近及び左右端部付近の蛍光管と反射シート部材間の距離が、中央部での前記距離よりも大きく、下フレーム部材は、照明装置の上下端部付近及び左右端部付近が開口した第３の開口部を有しており、反射シート部材は、第３の開口部から非表示面側の後方に向けて突設された第３の突出部を有しており、蛍光管と反射シート部材の第３の突出部間の距離が、中央部の蛍光管と反射シート部材間の距離よりも大きいことを特徴としている。
【００１４】
第４の発明に関わる照明装置は、少なくとも一本の蛍光管と、該蛍光管を支持する下フレーム部材と、蛍光管を挟んで下フレーム部材と対向して配置され蛍光管の光を前方の照射対象に向けて拡散する光拡散板材と、下フレーム部材の蛍光管側に沿って配設され蛍光管の光を光拡散板材に向けて反射する反射シート部材と、蛍光管の電極を覆うとともに蛍光管の光を光拡散板材に向けて反射する上サイド反射部材とを備える照明装置であって、蛍光管の長手方向を左右方向とし、かつ、反射シート部材の延在面方向に沿うとともに長手方向に垂直な方向を上下方向とした場合、照明装置の上下端部付近及び左右端部付近の蛍光管と反射シート部材間の距離のうちの少なくとも何れかが、中央部での前記距離よりも大きく、左右端部または上下端部のうちの少なくとも何れか一つの端部の蛍光管と反射シート部材間の距離を増加させた領域及びその付近の光拡散板材に印刷パターンが形成されることを特徴としている。
第５の発明に関わる照明装置は、少なくとも一本の蛍光管と、該蛍光管を支持する下フレーム部材と、蛍光管を挟んで下フレーム部材と対向して配置され蛍光管の光を前方の照射対象に向けて拡散する光拡散板材と、下フレーム部材の蛍光管側に沿って配設され蛍光管の光を光拡散板材に向けて反射する反射シート部材と、蛍光管の電極を覆うとともに蛍光管の光を光拡散板材に向けて反射する上サイド反射部材とを備える照明装置であって、蛍光管の長手方向を左右方向とし、かつ、反射シート部材の延在面方向に沿うとともに長手方向に垂直な方向を上下方向とした場合、照明装置の上下端部付近及び左右端部付近の蛍光管と反射シート部材間の距離のうちの少なくとも何れかが、中央部での前記距離よりも大きく、左右端部または上下端部のうちの少なくとも何れか一つの端部の蛍光管と反射シート部材間の距離を増加させた領域及びその付近の光拡散板材に隣接する光学シート部材に、印刷パターンが形成されることを特徴としている。
第６の発明に関わる表示装置は、第１の発明から第５の発明の照明装置のうちの何れかの照明装置を具備している。
【発明の効果】
【００１５】
本発明によれば、表示画面の廻りの額縁部の幅を増すことなく照明装置の左右端部または、上下端部領域を明るくすることが可能である。
【発明を実施するための最良の形態】
【００１６】
以下、本発明の実施形態について添付図面を参照して説明する。
＜＜第１実施形態＞＞
本発明を適用した第１実施形態の表示装置である液晶テレビ１は、図１(ａ)に示すように、映像が表示される表示画面Ｇを有しており、この表示画面Ｇに映像を表示するに際しては、映像に応じて電圧制御される液晶層および画素をもつカラーフィルタ(図示せず)を有する液晶パネルに後方から光を透過させ、映像を表示している。
なお、図１(ａ)は、液晶テレビ１の正面図であり、図１(ｂ)は、図１(ａ)のＧ−Ｇ線断面拡大図であり、図１(ｃ)は、図１(ａ)のＨ−Ｈ線断面拡大図である。また、図２は、図１(ａ)に示す液晶テレビ１の前方側(図１(ａ)の紙面の手前側)から見た要部分解図である。
【００１７】
＜液晶テレビ１の構成＞
液晶テレビ１は、図１(ｂ)、図１(ｃ)に示すように、液晶パネル２と、該液晶パネル２の背面に在って光を後方(図１(ａ)の紙面の裏面側)から液晶パネル２に供給する照明装置１Ｓとから構成されており、液晶パネル２は、上フレーム３(図２参照)により照明装置１Ｓに固定されている。
なお、上フレーム３は、図２に示すように、液晶パネル２の表示領域の表示画面Ｇの部分を開口した扁平な矩形の箱形状を有している。
液晶パネル２は、表示する映像を構成する各画素に対応し液晶層に電圧を加えられ照明装置１Ｓの後方からの光の透過・不透過を制御し、カラーフィルタの各画素の光の透過程度によって映像を表示画面Ｇ(図１(ａ)参照)に表示する。
【００１８】
＜液晶テレビ１における照明装置１Ｓの構成＞
図１(ｂ)、図１(ｃ)に示すように、液晶パネル２に後方(図１(ａ)の紙面裏面側)から光を供給する照明装置１Ｓは、光源である複数本の蛍光管４、該蛍光管４を駆動するインバータ５、蛍光管４を配設する下フレーム６、下フレーム６の前面に沿って配置され蛍光管４の光を液晶パネル２側に反射する反射シート６ｈ、蛍光管４から出射される光を液晶パネル２に向けて拡散する光拡散板７、液晶パネル２に入射する光の角度分布等を制御する光学シート８(一般に、光学シート８は複数枚存在する)、光学シート８及び光拡散板７を下フレーム６に抑えるとともに液晶パネル２を載置する矩形枠状の樹脂製の中間フレーム９(図２参照)、左右端部の遮光壁の役割を果たす上サイドモールド９ａ等を有している。
【００１９】
光拡散板７は、屈折率の異なる粒子が入って構成され、光源である蛍光管４からの光を拡散させ、照明装置１Ｓの輝度ムラを防止している。なお、光拡散板７の表面には、輝度ムラを更に防止するための後記のパターンが形成される場合がある。
下フレーム６は、図１(ｂ)、図１(ｃ)に示すように、液晶パネル２、照明装置１Ｓ、蛍光管４等を支持する強度部材であり、例えば、１ｍｍ厚の鋼板を用いて製造され、図２に示すように、照明装置１Ｓの裏面側を覆うとともに液晶パネル２側の一面が開口した扁平な矩形の箱型状に形成されている。
【００２０】
この下フレーム６の左右の両側部には、図２に示すように、後方(図１(ａ)の紙面の裏方向)に凹む形状であって上下方向(図１(ａ)の紙面の上下方向)に延在する凹部６o1、６o2(図１(ｂ)、図１(ｃ)参照)が、しぼり加工により形成されており、光源である蛍光管４からの光が、該凹部６o1、６o2内の後記の反射シート６ｈに反射して図１(ａ)に示す表示画面Ｇの左右端部側に届くように構成されている。
図１(ｂ)、図１(ｃ)に示すように、下フレーム６に隣接して蛍光管４側に配置される反射シート６ｈは、例えば、蛍光管４の光を良好に反射するように反射率９９％以上の０．３ｍｍ厚の白い紙を用いて製造されている。この反射シート６ｈは、下フレーム６の形状に沿って形成され、下フレーム６の凹部６o1、６o2に沿う凹部６ｈ1、６ｈ2を有している。
【００２１】
上サイドモールド９ａは、図１(ｂ)、図１(ｃ)、図２に示すように、反射率の高い白色の樹脂を用いて成型されており、光の出射が無い蛍光管４の両端の電極部４ａ、４ａを白色の樹脂で覆うとともに、中央にいくに従って後方、すなわち反液晶パネル２側に傾斜する形状の白色の樹脂表面で蛍光管４の光を反射し、該電極部４ａ、４ａが液晶パネル２側に露出して暗い輝度ムラが発生しないように構成されている。
なお、図２は、主要部材のみを図示しており、他にも様々な部材が存在する。
【００２２】
＜照明装置１Ｓ内のバックライトの進み方＞
図１(ｂ)、図１(ｃ)に示すように、光源の蛍光管４から出射された光は、反射シート６ｈ、及び光拡敷板７に入射して拡散反射し、さらに、その光が反射シート６ｈまたは光拡散板７に入射するといったことを繰り返すことにより、光拡散板７、上サイドモールド９ａ、および反射シート６ｈで囲まれた光拡散空間内に広がっていく。
反射シート６ｈ及び光拡散板７は、共に拡散反射面なので、拡散反射が行われる。光拡散板７は入射された光を拡散反射させ、上記光拡散空間に戻すと共に、ある量の光を透過させ液晶パネル２側に出す役割を担っている。
【００２３】
図１(ｂ)においては、蛍光管４から出射され点Ａ１から出た光が、光拡散板７の点Ｂ１から液晶パネル２面に向けて出射されるまでの様子を矢印で示しており、矢印の太さが光強度に対応する。
図１(ｃ)においては、蛍光管４から出射した点Ｃ１から出た光が、光拡散板７の点Ｄ１から液晶パネル２面に向けて出射されるまでの様子を矢印で示しており、矢印の太さが光強度に対応する。
前述した如く、光は拡散反射をするので、このような一本の矢印で表現できるものではないが、図１(ｂ)、図１(ｃ)では便宜上、点Ａ１、点Ｃ１からそれぞれ出た光が、反射シート６ｈに４５度の角度で入射し、拡散反射される光のうち、同じく４５度で出射される光をピックアップして示している。
【００２４】
同様に反射シート６ｈから４５度の角度で出射した光は、光拡散板７に４５度で入射するので、光拡散板７で拡散反射するうちの４５度で反射される光をピックアップしている。
図１(ｂ)、図１(ｃ)において、ある方向から入射した光は、全ゆる方向に反射されるので、特定角度の反射光は、入射光に対して光強度は減少する (矢印が細くなっている)。つまり反射回数が増えるほど光強度は減少する。
図１(ｂ)においては、点Ａ１から点Ｂ１まで到達するのに、３回の反射を繰り返すことで済んでおり、同様に、図１(ｃ)において、点Ｃ１から点Ｄ１まで到達するのに、３回の反射を繰り返すことで済んでいる。
【００２５】
これは、図２に示すように、下フレーム６に、後方、すなわち非表示面側に凹む形状の凹部６o1、６o2をしぼり加工で形成し、反射シート６ｈに該凹部６o1、６o2に沿わせた凹部６ｈ1、６ｈ2を形成し、図１(ｂ)、図１(ｃ)に示すように、左右端部領域の蛍光管４と反射シート６ｈの距離を増大させることによって、図１(ｂ)に示す点Ａ１から点Ｂ１へ到達する光の反射回数を３回に域少させ、また、図１(ｃ)に示す点Ｃ１から点Ｄ１へ到達する光の反射回数を３回に域少させ、中央側から光拡散板７の左右端部へ光が届き易く構成したものである。
この構成により、照明装置１Ｓの左右端部領域、すなわち表示画面Ｇ(図１(ａ)参照)の左右端部領域が暗いという問題を、蛍光管４の長さを延ばし、この長さを延ばした蛍光管４の電極部４ａ、４ａを覆うため、図１(ａ)に示す上フレーム３の左右の額縁部３ｍ、３ｈの幅を増す(暗い部分を隠す)という方策をとることなく解決している。
【００２６】
図３は、図１(ａ)に示す液晶テレビ１の要部を示す裏面図である。
図３、図１(ｂ)、図１(ｃ)に示すように、液晶テレビ１の非表示面側には、下フレーム６の後方、すなわち非表示面側に延びる形状の凹部６o1、６o2の間、すなわち下フレーム６の絞りを入れていない領域に、液晶パネル２を駆動制御するタイミングコントローラＴcon、蛍光管４を駆動するインバータ５、電源Ｅ等の回路部材またはその他の構造部材が配置されている。
そして、下フレーム６の凹部６o1、６o2の絞り深さを、これらのインバータ５等の構造部材の厚さ以下とすることで、液晶テレビ１全体の厚さを薄く保つことが可能であるとともに、図１(ａ)に示す表示画面Ｇの左右端部、すなわち照明装置１Ｓの左右端部の暗さを解決している。
【００２７】
なお、下フレーム６の凹部６o1、６o2の非表示面側に延びる寸法を、タイミングコントローラＴcon、インバータ５、電源Ｅ等の回路部材またはその他の構造部材の厚さ寸法より厚くすれば、下フレーム６の凹部６o1、６o2の非表示面側に延びる寸法により、液晶テレビ１の厚さ寸法を定めることができる。
逆に、下フレーム６の凹部６o1、６o2の非表示面側に延びる寸法を、タイミングコントローラＴcon、インバータ５、電源Ｅ等の回路部材またはその他の構造部材の厚さ寸法より薄くすれば、タイミングコントローラＴcon、インバータ５、電源Ｅ等の回路部材またはその他の構造部材の厚さ寸法により、液晶テレビ１の厚さ寸法を定めることができる。
【００２８】
なお、第１実施形態においては、下フレーム６の左右端部にしぼり加工した凹部６o1、６o2を形成した場合を例示したが、左右端部のうちの少なくとも何れかにのみ、例えば、凹部６o1のみ、或いは、凹部６o2のみを形成することも可能である。
この構成においても、前記第１実施形態と同様な作用効果を奏する。
なお、第１実施形態においては、下フレーム６の左右端部の凹部６o1、６o2を下フレーム６にしぼり加工し一体に形成した場合を例示して説明したが、下フレーム６の左右端部の凹部６o1、６o2に相当する箇所に孔を形成し、別部品で形成した凹部６o1、６o2を溶接、ボルト締め等で固定し該孔を塞いで形成することも可能である。
【００２９】
＜＜第２実施形態＞＞
図４(ａ)は、第２実施形態の液晶テレビ２１の正面図であり、図４(ｂ)は、図４(ａ)のＩ−Ｉ線断面拡大図であり、図４(ｃ)は、図４(ａ)のＪ−Ｊ線断面拡大図である。
第２実施形態の表示装置である液晶テレビ２１(図４(ａ)参照)は、第１実施形態の下フレーム６におけるしぼり加工した凹部６o1、６o2を、左右端部に代えて、下フレーム２６の上下端部に凹部２６o3、２６o4(図４(ｂ)、図４(ｃ)参照)を形成し、照明装置２１Ｓの上下端部の暗さを解消したものである。
【００３０】
これ以外の構成は、第１実施形態と同様であるので、同一の数字符号を付した同様な構成要素には、二十の位の数として示し、また、同一の文字符号を付した同様な構成要素には、同一の符号を付して示し、詳細な説明は省略する。
図４(ｂ)に示すように、下フレーム２６の上端部には、後方に向かって平面状に延在する側壁部２６ａ1が形成されており、この側壁部２６ａ1に沿って反射シート２６ｈを配設した場合、照明装置２１Ｓの上端部への光が不足し暗部ができることになる。
【００３１】
そこで、図４(ｂ)に示すように、反射シート２６ｈを、その上端縁から、下フレーム２６の側壁部２６ａ1から離隔する態様で、下フレーム２６の中央側にいくに従い後方、すなわち、反液晶パネル２２側に傾斜する傾斜部２６ｈ2を形成し、この傾斜部２６ｈ2において、照明装置２１Ｓの央部の蛍光管２４、２４、…から出射される光を上端部側に反射することにより、照明装置２１Ｓの上端部の輝度を増加させ暗部ができるのを防止し、照明装置２１Ｓの光を均一化している。
同様に、図４(ｃ)に示すように、下フレーム２６の下端部には、後方に向かって平面状に延在する側壁部２６ａ2が形成されており、この側壁部２６ａ2に沿って反射シート２６ｈを配設した場合、照明装置２１Ｓの下端部への光が不足し暗部ができることになる。
【００３２】
そこで、図４(c)に示すように、反射シート２６ｈを、その下端縁から、下フレーム２６の側壁部２６ａ2から離隔する態様で、下フレーム２６の中央側にいくに従って後方、すなわち、反液晶パネル２２側に傾斜する傾斜部２６ｈ2を形成し、この傾斜部２６ｈ2において、照明装置２１Ｓの央部の蛍光管２４、２４、…から出射される光を下端部側に反射することにより、照明装置２１Ｓの下端部の輝度を増加させ暗部ができるのを防止し、照明装置２１Ｓの光を均一化している。
【００３３】
図４(ｂ)、図４(ｃ)に示すように、蛍光管２４から出た光は、反射シート２６ｈ、及び光拡散板２７に入射し、拡散反射し、さらにその光が、反射シート２６ｈまたは光拡散板２７に入射するといったことを繰り返すことにより、光拡散板２７、上サイドモールド２９ａ、および反射シート２６ｈで囲まれた光拡散空間内に広がっていく。
反射シート２６ｈ及び光拡散板２７は、共に拡散反射面なので、拡散反射が行われる。光拡散板２７は入射された光を拡散反射させ、上記光拡散空間に戻すと共に、ある量の光を透過させ液晶パネル２２側に出す役割を担っている。
【００３４】
図４(ｂ)においては、蛍光管２４から出射した点Ａ２から出た光が、光拡散板２７の点Ｂ２から液晶パネル２２面に向けて出射されるまでの様子を矢印で示しており、矢印の太さが光強度に対応する。
図４(ｃ)においては、蛍光管２４から出射した点Ｃ２から出た光が、光拡散板２の点Ｄ２から液晶パネル２２面に向けて出射されるまでの様子を矢印で示しており、矢印の太さが光強度に対応する。
前述したように、光は拡散反射をするので、このような一本の矢印で表現できるものではないが、図４(ｂ)、図４(ｃ)では、便宜上、それぞれ点Ａ２、点Ｃ２から出た光が、反射シート２６ｈに４５度の角度で入射し、拡散反射される光のうち、同じく４５度で出射される光をピックアップして示している。同様に反射シート２６ｈから４５度の角度で出射された光は、光拡散板２７に４５度で入射するので、光拡散板２７で拡散反射するうちの４５度で反射される光をピックアップしている。
【００３５】
図４(ｂ)、図４(ｃ)において、ある方向から入射した光は、全ゆる方向に反射されるので、特定角度の反射光は、入射光に対して光強度は減少する (矢印が細くなっている)。つまり反射回数が増えるほど光強度は減少する。
図４(ｂ)においては、点Ａ２から点Ｂ２まで到達するのに、３回の反射を繰り返すことで済んでおり、同様に、図４(ｃ)において、点Ｃ２から点Ｄ２まで到達するのに、３回の反射を繰り返すことで済んでいる。
これは、図４(ｂ)、図４(ｃ)に示すように、下フレーム２６の上端部、下端部にそれぞれ後方、すなわち非表示面側に凹む形状の凹部２６o3、２６o4をしぼり加工し形成し、反射シート２６ｈに、下フレーム２６の上端部の凹部２６o3に沿わせた凹部２６ｈ3を形成するとともに、下フレーム２６の下端部の凹部２６o4に沿わせた凹部２６ｈ4を形成している。
【００３６】
こうして、上下端部領域の蛍光管２４と反射シート２６ｈ間の距離を増大させることにより、図４(ｂ)に示す点Ａ２から点Ｂ２へ到達する光の反射回数を３回に域少させ、また、図４(ｃ)に示す点Ｃ２から点Ｄ２へ到達する光の反射回数を３回に域少させ、中央側から光拡散板７の上下端部へ光が届き易くしている。
この構成により、照明装置２１Ｓの上下端部領域が暗いという問題を、蛍光管２４の数を増やしたり、図４(ａ)に示す表示画面Ｇの上方および下方の上フレーム２３の上額縁部２３ｕおよび下額縁部２３ｓの幅寸法を増す(暗い部分を隠す)ことなく解決できる。
図５は、図４(ａ)に示す液晶テレビ２１の要部を示す裏面図である。
【００３７】
図５、図４(ｂ)、図４(ｃ)に示すように、液晶テレビ２１の非表示面側には、下フレーム２６の後方、すなわち非表示面側(図５の紙面の手前側)に延びる形状の凹部２６o3、２６o4の間、すなわち下フレーム２６の絞りを入れていない領域に、タイミングコントローラＴcon、インバータ２５、電源Ｅ等の回路部材またはその他の構造部材が配置されている。
そして、下フレーム２６の凹部２６o3、２６o4の絞り深さを、これらのインバータ２５等の厚さ以下とすることで、液晶テレビ２１全体の厚さを薄く保つことが可能であり、また、図４(ａ)に示す表示画面Ｇの左右端部、すなわち照明装置２１Ｓの上下端部の暗さを解決している。
【００３８】
なお、下フレーム２６の凹部２６o3、２６o4の非表示面側に延びる寸法と、タイミングコントローラＴcon、インバータ２５、電源Ｅ等の回路部材またはその他の構造部材の厚さ寸法との何れか長い方の寸法により、液晶テレビ２１の厚さ寸法が定めることができる。
また、第２実施形態においては、下フレーム２６の上下端部にしぼり加工した凹部２６o3、２６o4を形成した場合を例示したが、上下端部の何れか一つの端部にのみ、例えば、上端部の凹部２６o3(図４(ｂ)、図５参照)のみ、或いは、下端部の凹部２６o4(図４(ｃ)、図５参照)のみ形成することも可能である。
この構成においても、前記第２実施形態と同様な作用効果を奏する。
【００３９】
なお、第２実施形態においては、下フレーム２６の上下端部の凹部２６o3、２６o4を下フレーム２６にしぼり加工し一体に形成した場合を例示して説明したが、下フレーム２６の上下端部の凹部２６o3、２６o4に相当する箇所に孔を形成し、別部品で形成した凹部２６o3、２６o4を溶接、ボルト締め等で固定し該孔を塞いで形成することも可能である。
【００４０】
＜＜第３実施形態＞＞
図６(ａ)は、第３実施形態の液晶テレビ３１の正面図であり、図６(ｂ)は、図６(ａ)のＫ−Ｋ線断面拡大図であり、図６(ｃ)は、図６(ａ)のＬ−Ｌ線断面拡大図である。
第３実施形態の表示装置である液晶テレビ３１(図６(ａ)参照)は、第１実施形態の下フレーム６の左右端部のしぼり加工した凹部６o1、６o2(図１、図３参照)および第２実施形態の下フレーム２６の上下端部のしぼり加工した凹部２６o3、２６o4(図４、図５参照)を、第３実施形態の下フレーム３６に左右端部のしぼり加工した凹部３o1、３６o2および上下端部のしぼり加工した凹部３６o3、３６o4 (図６(ｂ)、図６(ｃ)参照)として形成したものである。
【００４１】
これ以外の構成は、第１、第２実施形態と同様であるので、同一の数字符号を付した同様な構成要素には、三十の位の数として示し、また、同一の文字符号を付した同様な構成要素には、同一の符号を付して示し、詳細な説明は省略する。
図６(ｂ)においては、蛍光管３４から出射し点Ａ３から出た光が、光拡散板３７の点Ｂ３から液晶パネル３２面に向けて出射されるまでの様子を矢印で示しており、矢印の太さが光強度に対応する。
図６(ｃ)においては、蛍光管３４から出射した点Ｃ３から出た光が、光拡散板３７の点Ｄ３から液晶パネル３２面に向けて出射されるまでの様子を矢印で示しており、矢印の太さが光強度に対応する。
【００４２】
前述したように、光は拡散反射をするので、図６(ｂ)、図６(ｃ)に示すような一本の矢印で表現できるものではないが、図６(ｂ)、図６(ｃ)では、便宜上、それぞれ点Ｃ３、Ｃ４から出た光が、反射シート３６ｈに４５度の角度で入射し、拡散反射される光のうち、同じく４５度で出射される光をピックアップして示している。
同様に反射シート３６ｈから４５度の角度で出射された光は、光拡散板３７に４５度で入射するので、光拡散板３７で拡散反射するうちの４５度で反射される光をピックアップしている。
【００４３】
図６(ｂ)においては、点Ａ３から点Ｂ３まで到達するのに、３回の反射を繰り返すことで済んでおり、同様に、図６(ｃ)において、点Ｃ３から点Ｄ３まで到達するのに、３回の反射を繰り返すことで済んでいる。
これは、照明装置３１Ｓの左端部および上端部の場合を説明したが、照明装置３１Ｓの右端部および下端部も同様に構成されている。
図７は、図６(ａ)に示す液晶テレビ３１の裏面要部を示す裏面図である。
図６(ｂ)、図６(ｃ)、図７に示すように、下フレーム３６の左右端部および上下端部にそれぞれ、後方、すなわち非表示面側に凹む形状の凹部３６o1、３６o2、３６o3、３６o4 をしぼり加工し、反射シート３６ｈに該凹部３６o1、３６o2、３６o3、３６o4に沿わせた凹部３６ｈ1、３６ｈ2、３６ｈ3、３６ｈ4を形成し、図６(ｂ)、図６(ｃ)に示すように、左右端部領域の蛍光管３４と反射シート３６ｈの距離を増大させることにより、中央側の蛍光管３４の光が光拡散板３７の左右端部および上下端部へ届き易くしている。
【００４４】
この構成により、照明装置３１Ｓの左右端部領域が暗いという問題を、蛍光管の長さを延ばし、この長さを延ばした蛍光管の電極部を覆うため上フレーム３３の左右の額縁部３３ｍ、３３ｈ(図６(ａ)参照)の幅を増すという方策をとることなく解決できる。
また、照明装置３１Ｓの上下端部領域が暗いという問題を、蛍光管３４の数を増やしたり、図６(ａ)に示す上フレーム３３の上額縁部３３ｕおよび下額縁部３３ｓの幅寸法を増加することなく解決できる。
【００４５】
図７、図６(ｂ)、図６(ｃ)に示すように、液晶テレビ３１の非表示面側には、下フレーム３６の後方、すなわち非表示面側(図７の紙面の手前側)に延びる形状の凹部３６o1、３６o2、３６o3、３６o4の間、すなわち下フレーム３６の絞りを入れていない領域に、タイミングコントローラＴcon、インバータ３５、電源Ｅ等の回路部材またはその他の構造部材が配置されている。
そして、下フレーム３６の凹部３６o1、３６o2、３６o3、３６o4の絞り深さを、これらのインバータ３５等の厚さ以下とすることで、液晶テレビ３１全体の厚さを薄く保つことが可能である。また、図６(ａ)に示す表示画面Ｇの左右端部および上下端部の暗さ、すなわち照明装置３１Ｓの左右端部および上下端部の暗さが解決できる。
【００４６】
なお、下フレーム３６の凹部３６o1、３６o2、３６o3、３６o4の後方、すなわち非表示面側に延びる寸法と、タイミングコントローラＴcon、インバータ３５、電源Ｅ等の回路部材またはその他の構造部材の厚さ寸法との何れか長い方の寸法により、液晶テレビ３１の厚さ寸法が定めることができる。
なお、第３実施形態においては、下フレーム３６の上下左右端部の凹部３６o1、３６o2、３６o3、３６o4を下フレーム３６にしぼり加工し一体に形成した場合を例示して説明したが、下フレーム３６の本体部と凹部３６o1、３６o2、３６o3、３６o4を別部品で形成し、別部品で形成した下フレーム３６の本体部と凹部３６o1、３６o2、３６o3、３６o4を溶接、ボルト締め等で固定して形成することも可能である。
【００４７】
＜＜第４実施形態＞＞
図８(ａ)は、第４実施形態の液晶テレビ４１の正面図であり、図８(ｂ)は、図８(ａ)のＭ−Ｍ線断面拡大図であり、図８(ｃ)は、図８(ａ)のＮ−Ｎ線断面拡大図である。
図９は、図８(ａ)に示す第４実施形態の液晶テレビ４１の裏面要部を示す裏面図である。
第４実施形態の表示装置である液晶テレビ４１(図８(ａ)参照)は、第１実施形態の下フレーム６の左右端部のしぼり加工した凹部６o1、６o2と同じ箇所に穴を開け開口部４６ａ1、４６ａ2を形成する。
そして、反射シート４６ｈを、開口部４６ａ1から後方、すなわち反液晶パネル４２側に突出させた突出部４６ｈ1を形成するとともに、開口部４６ａ2から後方に突出させた突出部４６ｈ2を形成している。
【００４８】
これによって、蛍光管４４と反射シート４６ｈ間の距離、すなわち、蛍光管４４と反射シート４６ｈの突出部４６ｈ1間の距離および蛍光管４４と反射シート４６ｈの突出部４６ｈ2間の距離を広げて構成している。
これ以外の構成は、第１実施形態と同様であるので、同一の数字符号を付した同様な構成要素には、四十の位の数として示し、また、同一の文字符号を付した同様な構成要素には、同一の符号を付して示し、詳細な説明は省略する。
ところで、下フレーム４６に穴を開けて開口部４６ａ1、４６ａ2を形成した場合、蛍光管４４の放電により、これらの開口部４６ａ1、４６ａ2を介して、電磁波が行き来し、図９に示す非表示面に搭載されるインバータ４５、タイミングコントローラＴcon等の回路類に悪影響を与える可能性がある。
【００４９】
このＥＭＩ(Ｅlectro  Ｍagnet  Interference)の対策として、図８(ｂ)、図９に示すように、導電性シート４１ｄ1を、下フレーム４６の穴の開いた開口部４６ａ1を覆うべく反射シート４６ｈの突出部４６ｈ1の裏面側、すなわち後方側に被せ、開口部４６ａ1の内外空間を遮断している
同様に、図８(ｃ)、図９に示すように、導電性シート４１ｄ2を、下フレーム４６の穴の開いた開口部４６ａ2を覆うべく反射シート４６ｈの突出部４６ｈ2の裏面側、すなわち後方側に被せ、開口部４６ａ2の内外空間を遮断している。
【００５０】
このように、導電性シート４１ｄ1、４１ｄ2を設けることにより、蛍光管４４の放電による電磁波の外部への漏出を阻止し、インバータ４５、タイミングコントローラＴcon等の回路類への悪影響を防止している。
この構成以外は、第１実施形態の構成と同様であるから、第１実施形態の構成による作用効果は、同様に奏する。
【００５１】
なお、第４実施形態では、照明装置４１Ｓの左右端部に上記構成を設ける構成について説明したが、照明装置４１Ｓの左右端部に代えて上下端部に上記構成を設けてもよい。
また、照明装置４１Ｓの左右端部または上下端部のうちの何れか一つの端部にのみ上記構成を設けてもよい。また、照明装置４１Ｓの左右端部および上下端部に上記構成を設けてもよい。
これらの場合も、上述の作用効果は同様に奏する。
【００５２】
＜＜第５実施形態＞＞
図１０(ａ)は、図１(ａ)のＧ−Ｇ線断面拡大模式図であり、図１０(ｂ)は、図１０(ａ)に示す照明装置１Ｓにおける表示画面Ｇの横方向(図１(ａ)の紙面の左右方向)の位置と光の輝度の関係を示した図である。
図１０に示すように、下フレーム６の中央側と凹部６o1との境界位置ｘ１から、下フレーム６の凹部６o1域にかけて一点鎖線で示すように光の輝度が急峻に下降していることが明らかである。
【００５３】
この現象に対処するため、図１０に示す光拡散板７の蛍光管４側の面７ａ、または光学シート８の光拡散板７側の面８a1における表示画面Ｇの左端位置ｘ0から下フレーム６の凹部６o1の中央側境界ｘ1を超えた中央側位置ｘ2までの領域Ｗ1(図１０、図１１(ａ)参照)に、図１１(ｂ)に示す白色インクを用いた白色ドットの印刷パターンを形成した。
この白色ドットの印刷パターンは、蛍光管４の光を部分的に反射により抑制するとともに該反射光で暗い箇所を照らし、急峻な光の輝度の変化を防止するものである。  
なお、図１１(ａ)は、図１(ａ)に示す表示画面Ｇにおける光拡散板７または光学シート８に印刷パターンを形成した領域Ｗ１、Ｗ2を示す図であり、図１１(ｂ)は、図１１(ａ)のＯ部の印刷パターンを示す図であり、図１１(ｃ)は、図１１(ａ)のＰ部の印刷パターンを示す図である。
【００５４】
図１１(ｂ)に示すように、白色ドットの印刷パターンは、図１０に示す下フレーム６の凹部６o1の中央側境界ｘ1より中央側の中央側位置ｘ2から端部側にかけて、中の大きさの白色ドットを形成し、そして、下フレーム６の凹部６o1の中央側境界ｘ1付近から端部側にかけて、大の大きさの白色ドットを形成する。そして、下フレーム６の凹部６o1域の中程で、小の大きさの白色ドットを端部側にかけて形成し、表示画面Ｇの左端位置ｘ0手前で、小の大きさの白色ドットの形成を止めている。
このような白色ドットの印刷パターンを形成することにより、図１０(ｂ)の実線で示すように、光の輝度の変化をなだらかにすることが可能となった。
【００５５】
なお、図１１(ａ)、図１１(ｃ)に示すように、表示画面Ｇにおいて領域Ｗ1と左右対称な領域Ｗ2に同様な白色ドットの印刷パターンを形成することにより、同様な効果が得られる。
また、第２実施形態の図４に示したように、下フレーム２６の上下端部に凹部２６o3、２６o4を形成した場合、上下端部に同様な白色ドットの印刷パターンを形成することにより、図１０(ｂ)の実線と同様に、光の輝度の変化をなだらかにすることができる。
また、左右端部又は上下端部の少なくとも何れか一つの端部に上記の印刷パターンを形成することも可能であることは言うまでもない。
【００５６】
なお、第５実施形態では、白色インクを用いた場合を例示して説明したが、白色インク以外の反射率の高い色のインクを用いてもよい。
また、第５実施形態では、光拡散板７の蛍光管４側の面７ａ、または光学シート８の光拡散板７側の面８a1に白色ドットの印刷パターンを形成する場合を例示して説明したが、これ以外の箇所、例えば、光拡散板７の反蛍光管４側の面７ｂまたは光学シート８ａの面８a2または光学シート８ｂ、８ｃに白色ドットの印刷パターンを形成しても、一定の効果が得られる。    ＜第５実施形態終了＞
なお、第１実施形態から第５実施形態を個別に説明したが、第１実施形態から第５実施形態のうちの何れかの構成を適宜、選択して組み合わせて構成することも可能である。
【図面の簡単な説明】
【００５７】
【図１】(ａ)は、第１実施形態の液晶テレビの正面図であり、(ｂ)は、(ａ)図のＧ−Ｇ線断面拡大図であり、(ｃ)は、(ａ)図のＨ−Ｈ線断面拡大図である。
【図２】図１(ａ)に示す液晶テレビの前方側から見た要部分解図である。
【図３】図１(ａ)に示す液晶テレビの裏面要部を示す裏面図である。
【図４】(ａ)は、第２実施形態の液晶テレビの正面図であり、(ｂ)は、(ａ)図のＩ−Ｉ線断面拡大図であり、(ｃ)は、(ａ)図のＪ−Ｊ線断面拡大図である。
【図５】図４(ａ)に示す第２実施形態の液晶テレビの裏面要部を示す裏面図である。
【図６】(ａ)は、第３実施形態の液晶テレビの正面図であり、(ｂ)は、(ａ)図のＫ−Ｋ線断面拡大図であり、(ｃ)は、(ａ)図のＬ−Ｌ線断面拡大図である。
【図７】図６(ａ)に示す液晶テレビの裏面要部を示す裏面図である。
【図８】(ａ)は、第４実施形態の液晶テレビの正面図であり、(ｂ)は、(ａ)図のＭ−Ｍ線断面拡大図であり、(ｃ)は、(ａ)図のＮ−Ｎ線断面拡大図である。
【図９】図８(ａ)に示す第４実施形態の液晶テレビの裏面要部を示す裏面図である。
【図１０】(ａ)は、図１(ａ)のＧ−Ｇ線断面拡大模式図であり、(ｂ)は、(ａ)図に示す照明装置における表示画面の横方向の位置と光の輝度の関係を示した図である。
【図１１】(ａ)は、図１(ａ)に示す表示画面における光拡散板または光学シートに印刷パターンを形成した領域Ｗ１、Ｗ2を示す図であり、(ｂ)は、(ａ)図のＯ部の印刷パターンを示す図であり、(ｃ)は、(ａ)図のＰ部の印刷パターンを示す図である。
【図１２】(ａ)は、従来の液晶テレビの正面図であり、(ｂ)は、(ａ)図に示す液晶テレビの裏面要部を示す裏面図である。
【図１３】(ａ)は、図１２(ａ)のＥ−Ｅ線断面拡大図であり、(ｂ)は、図１２(ａ)のＦ−Ｆ線断面拡大図である。
【図１４】図１２(ａ)に示す従来の液晶テレビの前方側から見た分解図である。
【符号の説明】
【００５８】
１、２１、３１、４１…液晶テレビ(表示装置)、
１Ｓ、２１Ｓ、３１Ｓ、４１Ｓ…照明装置、
２、２２、３２、４２…液晶パネル(照射対象)、
６o1、６o2…下フレームの凹部(第１の凹部)、
２６o3、２６o4…下フレームの凹部(第２の凹部)、
３６o1、３６o2、３６o3、３６o4…下フレームの凹部(第３の凹部)、
４、２４、３４、４４…蛍光管、
４ａ、２４ａ、３４ａ、４４ａ…蛍光管の電極、
５、１５、２５、３５、４５…インバータ(構造部材)、
６、２６、３６、４６…下フレーム(下フレーム部材)、
６ｈ、２６ｈ、３６ｈ、４６ｈ…反射シート(反射シート部材)、
７、２７、３７、４７…光拡散板(光拡散板材)、
７ａ…光拡散板の蛍光管側の面
８・・・光学シート
８a2…光学シートの光拡散板側の面
９ａ、２９ａ、３９ａ、４９ａ…上サイドモールド(上サイド反射部材)、
４１ｄ1、４１ｄ2…導電性シート(導電性シート部材)、
４６ａ1、４６ａ2…開口部(第１の開口部)、
４６ｈ1、４６ｈ2…突出部(第１の突出部)、
Ｅ…電源(構造部材)、
Ｔcon…タイミングコントローラ(構造部材)
【図１】
0004533414.tif 000002
【図２】
0004533414.tif 000003
【図３】
0004533414.tif 000004
【図４】
0004533414.tif 000005
【図５】
0004533414.tif 000006
【図６】
0004533414.tif 000007
【図７】
0004533414.tif 000008
【図８】
0004533414.tif 000009
【図９】
0004533414.tif 000010
【図１０】
0004533414.tif 000011
【図１１】
0004533414.tif 000012
【図１２】
0004533414.tif 000013
【図１３】
0004533414.tif 000014
【図１４】
0004533414.tif 000015